(57)【要約】本発明は、車両シート（１）の背もたれ（１．１）を少なくとも１つの前方位置（Ｄ、Ｅ）に配置するため及び前方位置（Ｄ、Ｅ）を超えた背もたれ（１．１）を少なくとも１つの更なる前方位置（Ｌ）に配置するための前方旋回機構（Ｖ）であって、背もたれ（１．１）を少なくとも１つのシート位置（Ａ〜Ｃ）に配置及びロックするための快適ロックを含み、背もたれ（１．１）を少なくとも１つの前方位置（Ｄ、Ｅ）に配置するためのイージーエントリーラッチ（５）を含み、前方位置（Ｄ、Ｅ）の１つへの背もたれ（１．１）の旋回範囲をイージーエントリーラッチ（５）によって制限することができ、イージーエントリーラッチ（５）は、シート位置（Ａ〜Ｃ）の１つから前方位置（Ｄ、Ｅ）の１つへの背もたれ（１．１）の移動中の前方制限止め具を形成するように設計されている前方旋回機構（Ｖ）に関するものである。
2016539046.tif 000002
【特許請求の範囲】
【請求項１】
車両シート（１）の背もたれ（１．１）を少なくとも１つの前方位置（Ｄ、Ｅ）に配置するため及び前記前方位置（Ｄ、Ｅ）を超えた前記背もたれ（１．１）を少なくとも１つの更なる前方位置（Ｌ）に配置するための前方旋回機構（Ｖ）であって、
前記背もたれ（１．１）を少なくとも１つのシート位置（Ａ〜Ｃ）に配置及びロックするための快適ロックと、
前記背もたれ（１．１）を前記少なくとも１つの前方位置（Ｄ、Ｅ）に配置するためのイージーエントリー移動止め（５）と
を有し、
前記前方位置（Ｄ、Ｅ）の１つへの前記背もたれ（１．１）の旋回範囲が前記イージーエントリー移動止め（５）によって制限可能であり、前記イージーエントリー移動止め（５）は、前記シート位置（Ａ〜Ｃ）の１つから前記前方位置（Ｄ、Ｅ）の１つへの前記背もたれ（１．１）の調節の間、前記イージーエントリー移動止めが前方への止め具を形成するように設計されている、前方旋回機構（Ｖ）。
【請求項２】
前記イージーエントリー移動止め（５）の止め具に対応するように前記背もたれ側に末端止め具（７）が設けられ、前記末端止め具は、前記背もたれ（１．１）の前方位置（Ｄ、Ｅ）の１つにおいて前記イージーエントリー移動止め（５）の止め具と自動ロック式に相互作用する、請求項１に記載の前方旋回機構（Ｖ）。
【請求項３】
前記イージーエントリー移動止め（５）は旋回可能に且つばね付勢されるようにフィッティング下部（２．２）に連結されている、請求項１又は２に記載の前方旋回機構（Ｖ）。
【請求項４】
前記背もたれ（１．１）を前記前方位置（Ｄ、Ｅ）の１つから快適範囲内の前記シート位置（Ａ〜Ｃ）の１つへ持ち上げるとき、前記末端止め具（７）は、ソフトロック力が車両シート（１）の前後方向調節力よりも大きいようにソフトロック（４）と係合している、請求項２又は３に記載の前方旋回機構（Ｖ）。
【請求項５】
前記ソフトロック（４）は前記末端止め具（７）と相互作用する少なくとも１つの制御カム（４．２）を備えた少なくとも１つの外側輪郭を有するＬ字形状として設計されている、請求項４に記載の前方旋回機構（Ｖ）。
【請求項６】
前記ソフトロック（４）は旋回可能に且つばね付勢されるようにフィッティング下部（２．２）に連結されている、請求項４又は５に記載の前方旋回機構（Ｖ）。
【請求項７】
前記少なくとも１つの前方位置（Ｄ、Ｅ）への前記背もたれ（１．１）の旋回の間、前記末端止め具（７）は前記ソフトロック（４）の外側輪郭に沿ってスライドし、前記ソフトロック力は前記制御カム（４．２）の成形及び／又は前記ソフトロック（４）の復帰ばね（４．１）のばね力によって決定される、請求項５又は６に記載の前方旋回機構（Ｖ）。
【請求項８】
前記背もたれ（１．１）の前方位置の更なる１つ（Ｌ）において、前記末端止め具（７）と前記ソフトロック（４）の自動ロック式の相互作用によって前記背もたれ（１．１）が保持されるように、前記ソフトロック（４）は延長されている、請求項４から７のいずれか１項に記載の前方旋回機構（Ｖ）。
【請求項９】
傾き調節可能且つ自由に旋回可能な背もたれ（１．１）と前後方向アジャスタとを備えた車両シート（１）であって、傾きを調節するため及び前記背もたれ（１．１）の自由な旋回のための請求項１から８のいずれか１項に記載の前方旋回機構（Ｖ）によって特徴付けられる、車両シート（１）。
【請求項１０】
前記背もたれ（１．１）が前記前方位置（Ｄ、Ｅ）の１つに前方へ旋回されたとき、前記背もたれ（１．１）が旋回して前記シート位置（Ａ〜Ｃ）に戻る前に前記車両シート（１）が最初に後方へ移動可能であるように、前記前後方向アジャスタと前記前方旋回機構（Ｖ）は相互作用する、請求項９に記載の車両シート（１）。
【発明の詳細な説明】
【技術分野】
【０００１】
本発明は、車両シート用の前方旋回機構に（特にイージーエントリーシステムに）、及びこのような前方旋回機構を備えた（特にイージーエントリーシステムを備えた）車両シートに関するものである。
【背景技術】
【０００２】
従来技術は、車両シートの一部であり且つ車両の第２シート列への容易な乗り込みを可能にする、様々なイージーエントリーシステムを開示してきた。イージーエントリーシステムは、車両シートの背もたれ上縁に従来の方式で配置された解除レバーによって作動可能であり、その結果、車両シートの背もたれは入り口領域の外へ旋回する。車両シートがレール上に配置されている場合、解除レバーを作動させると、車両シートは加えて又は代わりに進行方向に移動可能である。また、車両シートは、背もたれの乗り心地調節機能及び積載床機能を有する。これらの２つの機能は、快適レバーによって作動可能である。
【発明の概要】
【発明が解決しようとする課題】
【０００３】
本発明の目的は、従来技術に対して改良された車両シート用の前方旋回機構（特に簡略化されたイージーエントリーシステム）と、このような改良された前方旋回機構（特にイージーエントリーシステム）を備えた車両シートとを特定することである。
【課題を解決するための手段】
【０００４】
この目的は、前方旋回機構に関して、請求項１の特徴によって達成される。車両シートに関して、本発明は請求項９に記載された特徴によって達成される。
【０００５】
車両シートの背もたれを少なくとも１つの前方位置に（特にイージーエントリー位置に）配置するため及び前方位置を越えた背もたれを少なくとも１つの更なる前方位置（特に積載床位置）に配置するための本発明に係る前方旋回機構は、背もたれを少なくとも１つのシート位置に配置及びロックするための快適ロックと、背もたれを少なくとも１つの前方位置に配置するためのイージーエントリー移動止めとを含み、少なくとも１つの前方位置への背もたれの旋回範囲がイージーエントリー移動止めによって制限可能であり、イージーエントリー移動止めは、シート位置の１つから前方位置の１つへの背もたれの調節の間、前記イージーエントリー移動止めが前方への止め具を形成するように設計されている。
【０００６】
背もたれの旋回範囲の制限を達成するために、イージーエントリー移動止めは、切り替え可能であり、特にイージーエントリー移動止めのロックフック又はロック移動止めが末端止め具と係合する位置に至らせることができる。
【０００７】
本発明の可能な実施形態において、末端止め具は、イージーエントリー移動止めの止め具に対応するように背もたれ側に設けられ、前記末端止め具は、背もたれの前方位置においてイージーエントリー移動止めの止め具と（特にロックフック又はロック移動止めと）自動ロック式に相互作用する。
【０００８】
発展形態によれば、イージーエントリー移動止めは旋回可能に且つばね付勢されるようにフィッティング下部に連結されている。イージーエントリー移動止めの回転軸の領域に配置されたばね要素、特に可撓性ばね、例えば渦巻きばねによって、シート位置の１つからの背もたれの解放後及び背もたれの前方への旋回中に、イージーエントリー移動止めは、背もたれの前方への更なる旋回を制限するためにロックフック又はロック移動止めが止め具として作用する位置に至らせることができ、特に旋回可能である。
【０００９】
背もたれを前方位置（特にイージーエントリー位置又は積載床位置）から快適範囲内のシート位置の１つへ再び持ち上げる間、末端止め具は、ソフトロック力が車両シートの前後方向／レール調節力よりも大きいようにソフトロックと係合している。このことは、背もたれが快適範囲内のシート位置に旋回させられる前に、車両シートが最初に、前後方向調節によって後方又は最後方位置に配置される（特に移動させられる）ことができることを確実にする。
【００１０】
可能な実施形態において、ソフトロックは、末端止め具と相互作用する（特に突起の形態の）少なくとも１つの制御カム又は切り替えカムを備えた少なくとも１つの外側輪郭を有する、Ｌ字形状として設計されている。一実施形態によれば、ソフトロックは、旋回可能に且つばね付勢されるように、特に弾性的にプレストレストをかけられるように、フィッティング下部に連結されている。
【００１１】
ソフトロックの外側輪郭上での末端止め具の（特に末端止め具上に配置された転動体の）スライド中に、切り替えカム及びばね力（特に、例えば復帰ばねの形態のソフトロックばね）に打ち勝たなければならず、その結果、ソフトロック力が定義又は決定される。ここで、ソフトロック力が背もたれの前方又は後方への旋回中に事実上異なるように、切り替えカムは異なる傾きを有することができる。代わりに、切り替えカムの傾斜は前方及び後方の旋回方向において同一設計のものであることができ、従って、背もたれの両方の旋回方向において前記ソフトロック力に打ち勝たなければならない。ソフトロックばね／復帰ばねは、特に一端がソフトロックに、多端がフィッティング下部に連結されている。
【００１２】
代替的な実施形態において、背もたれの前方位置の１つにおいて、末端止め具とソフトロックの自動ロック式の相互作用によって背もたれが保持されるように、ソフトロックは延長されることができる。特に、延長されたソフトロックは、延長部分の領域における外側輪郭にロックカム（特にロック突起）を有する。代わりに、ロックカムはソフトロックの内側輪郭に配置されることができる。
【００１３】
傾き調節可能且つ自由に旋回可能な背もたれと前後方向アジャスタとを備えた本発明に係る車両シートは、傾きを調節するため及び切り替え可能なイージーエントリー移動止めを用いた背もたれの自由な旋回のために、及びソフトロックによる統合されたソフトロック機能と共に、前述の前方旋回機構を有する。ここで、背もたれが前方位置の１つに前方へ旋回させられたとき、背もたれが旋回させられてシート位置に戻される前に車両シートが最初に後方へ移動可能であるように、前後方向調節力よりも大きいソフトロック力によって、前後方向アジャスタと前方旋回機構は相互作用する。
【００１４】
上記目的はまた、車両シートの背もたれを少なくとも１つの前方位置に（特にイージーエントリー位置及び／又は積載位置に）配置するための前方旋回機構（特にイージーエントリーシステム及び／又は積載システム）と、背もたれを少なくとも１つのシート位置に配置するための快適ロックと、前方位置（特にイージーエントリー位置及び／又は積載位置）を越えた背もたれを積載床位置に配置するための拡張された快適機能と相互作用するフィッティングを備え、背もたれの旋回範囲が、少なくとも１つのフィッティング部分と係合するイージーエントリー移動止めによって、前方位置において（特にイージーエントリー位置及び／又は積載位置において）限定され、イージーエントリー移動止めは、イージーエントリー位置においてイージーエントリー移動止めが前方への止め具を形成するように、快適範囲から前方位置への（特にイージーエントリー位置及び／又は積載位置への）背もたれの調節の間、前記イージーエントリー移動止めが旋回させられるように設計され、背もたれが前記前方位置から（特にイージーエントリー位置及び／又は積載位置から）快適範囲内のシート位置の１つに持ち上げられるとき、ソフトロック力が前後方向調節力よりも大きいようにイージーエントリー移動止めがソフトロックと係合している本発明によって達成される。
【００１５】
本発明は、車両シートの背もたれがイージーエントリー位置又は積載位置などの前方位置から快適範囲内のシート位置の１つに配置又は旋回させられる前に、車両シートが前方の前後方向位置から後方又は最後方の前後方向位置に移動することを可能にする。このことは、車両シートの適切な、特にロック可能な移動又は前後方向位置に到達するため、ユーザーの安全性を高める。また、背もたれの前方位置において止め具として構成されるイージーエントリー移動止めによって、背もたれが更に前方へ旋回するのを防ぐことが保証される。
【図面の簡単な説明】
【００１６】
添付の概略図を参照して、本発明の例示的な実施形態を以下でより詳細に説明する。
【図１】本発明によるフィッティングを備えた車両シートを示す。
【図２】本発明によるフィッティングを様々な状態で模式的に示す。
【図３】本発明によるフィッティングを様々な状態で模式的に示す。
【図４】本発明によるフィッティングを様々な状態で模式的に示す。
【図５】本発明によるフィッティングを様々な状態で模式的に示す。
【図６】本発明によるフィッティングを様々な状態で模式的に示す。
【図７】本発明によるフィッティングを様々な状態で模式的に示す。
【図８】本発明によるフィッティングを様々な状態で模式的に示す。
【図９】本発明によるフィッティングを様々な状態で模式的に示す。
【図１０】本発明によるフィッティングを様々な状態で模式的に示す。
【図１１】本発明によるフィッティングを様々な状態で模式的に示す。
【図１２】本発明によるフィッティングを様々な状態で模式的に示す。
【発明を実施するための形態】
【００１７】
相互に対応する部分は、図面のすべてにおいて同じ符号を備えている。
【００１８】
図１は、背もたれ１．１とシートクッション１．２とを備えた車両シート１のフィッティング２の領域の一部を側面図で示しており、背もたれ１．１はフィッティング２によって回転可能にシートクッション１．２上に配置されている。
【００１９】
フィッティング２は、少なくとも１つの機能、特にエントリー補助手段（イージーエントリーシステム）又は積載補助手段を動作させるように構成された、前方旋回機構Ｖを有する。機能に応じて、フィッティング２は、エントリー補助手段としてのイージーエントリー移動止め５又は積載補助手段としてのロックレバーを含む。ここで、２つの機能は、背もたれ１．１を前方へ旋回させるときの傾斜角のみが異なる。イージーエントリー移動止め５又はロックレバーは、それぞれ統合された機能に対応するように、内側又は外側のガイド輪郭、ロック輪郭及び／又は制御輪郭を有して設計される。
【００２０】
本発明は、前方位置としてイージーエントリー位置Ｄを有する、イージーエントリーシステムＥＥとして設計された前方旋回機構Ｖに関して、以下で説明されている。本発明は、イージーエントリー移動止め５の代わりにそれに応じて設計され且つ構成されたロックレバーが設けられている、積載システムとして設計された前方旋回機構Ｖ（特に図示せず）に同様に適用可能である。
【００２１】
車両シート１は、例えば、車両用のフロントシート又はリアシート列（例えば第２シート列）の車両シートであり、且つレールシステム上に配置され、その結果、車両シート１は、前後方向アジャスタ（特に図示せず）を用いて車両の前後方向ＬＲに移動可能である。
【００２２】
車両の後部領域又はリアシート列への乗り込みを簡単にするために、車両シート１は、フィッティング２のイージーエントリーシステムＥＥによって実現可能なイージーエントリー機能を有する。
【００２３】
イージーエントリー機能は、特に２ドア車両の後部領域、又はマルチドア車のリアシート列への拡張されたアクセス、従ってより快適なアクセスを可能にする、エントリー補助手段である。イージーエントリーシステムＥＥによって、車両シート１は、入り口領域を拡大するために前後方向ＬＲにおいて（特に進行方向において）レールシステム上で前方へ移動させられ、同時に車両シート１の背もたれは１．１は、イージーエントリー位置Ｄへと前方に折り畳まれる。ここで、背もたれ１．１の旋回範囲は、イージーエントリー機能を始動させたとき、前方へ、例えば３５°までに制限される。
【００２４】
また、背もたれ１．１は、拡張された快適機能によって、更なる快適位置へ（特に積載位置Ｅ及び／又は積載床位置Ｌへ）旋回させることができる。
【００２５】
背もたれ１．１は、車両の横の長さの方向に延びる旋回軸の周りで旋回可能である。背もたれ１．１の旋回は、解除レバー３に連結点３．１で連結された作動レバー（特に図示せず）の作動によって始動可能であり、解除レバー３はイージーエントリーシステムＥＥの復帰ばね３．２によってボーデンケーブル（図示せず）又は他の適切な張力要素を介してばね付勢されている。作動レバーは、車両シート１の片側のみに設けられている。
【００２６】
フィッティング上部２．１及びフィッティング下部２．２から形成されたフィッティング２が、車両シート１のそれぞれの側に配置されている。代わりに、１つのフィッティング２のみが設けられ、伝動ロッド用の回転軸受が車両シート１の反対側に設けられてもよい。
【００２７】
フィッティング上部２．１は、背もたれ１．１に固定されるように留められ、フィッティング下部２．２は、例えば車両床に又はシートクッション１．２に留められた下部構造に固定配置されている。フィッティング２（特に回転及び／又はラッチフィッティング）は、フィッティング上部２．１とフィッティング下部２．２との間で相対的に回転運動が行われるように、ギア付き結合部として設計されている。
【００２８】
背もたれ１．１のそれぞれの側に配置されたフィッティング２は、背もたれ１．１を旋回させることができるように背もたれ１．１のロックを両側で解除することができるように、角のある伝動ロッド又は管の形態の伝動要素（特に図示せず）を介して互いに接続されている。ここで、フィッティング２は、伝動要素の一端に形状嵌めで留められている。代わりに、フィッティング２は車両シート１の片側のみに配置され、車両シート１の反対側に伝動要素を収容するための回転軸受を設けることができる。
【００２９】
伝動要素は、詳細にはフィッティング部品を存在し得る更なるフィッティング部品に接続するロッド又は管であり、独国特許出願第１０２００４００８５９９号明細書から知られるように、伝動要素はその縦軸の周りで回転可能である。
【００３０】
前方旋回機構Ｖは、イージーエントリーシステムＥＥと、積載位置Ｅ及び／又は積載床位置Ｌのための拡張された快適機能とを含み、これらはフィッティング２において統合され、図１により詳細に示されている。
【００３１】
イージーエントリーシステムＥＥは、フィッティング２に回転可能に配置され且つ結合された復帰ばね４．１でばね付勢されたソフトロック４と、同様にフィッティング２に回転可能に配置された解除レバー３と、更にイージーエントリー移動止め５とを含む。また、イージーエントリーシステムＥＥは、背もたれ側の末端止め具７を含む。
【００３２】
図示の例示的な実施形態において、ソフトロック４と解除レバー３は別個の回転及び旋回軸の周りで回転可能であり、ソフトロック４とイージーエントリー移動止め５は共通の回転及び旋回軸の周りで回転可能である。ソフトロック４はレバー又はＬ字形状の形で設計されている。
【００３３】
イージーエントリー作動レバー（図示せず）を作動させることによって、解除レバー３はシート位置Ａ〜Ｃにおいて快適範囲内で調節機能を始動させるために作動され、その結果、背もたれ１．１はシート位置Ａからシート位置Ｂ及びＣ（快適位置、使用位置、又は背もたれ位置とも称される）を通して、又はその逆に旋回させることができる。
【００３４】
ここで、背もたれ１．１の後方への従ってシート位置Ａへの調節及び配置は、背もたれ側にあり（特に背もたれに固定され）且つフィッティング下部２．２の止め具２．２．１に当たって停止する、末端止め具７によって制限される。
【００３５】
背もたれ側にあり且つ背もたれに固定された末端止め具７は、転動体７．２のための容器７．１を含む。快適範囲内で、従ってシート位置Ａ〜Ｃ（後方快適位置、中央快適位置、前方快適位置）の間の背もたれ１．１の調節範囲内で、末端止め具７の転動体７．２とソフトロック４は互いに切り離され、接触していない。また、車両シート１のレールシステムのレールとフィッティング２は閉鎖されている。
【００３６】
シート位置Ａ〜Ｃを有する背もたれ１．１の快適シート範囲において、シート位置Ａは最後方の快適なシート位置を表し、シート位置Ｂは中間の快適なシート位置或いは開始又は設計シート位置を表し、シート位置Ｃは最前方の快適なシート位置を表し、イージーエントリー移動止め５は、外側輪郭５．２として設計された停止輪郭で、フィッティング上部２．１の末端止め具７に、特に転動体７．２に当接する。背もたれに固定された末端止め具７の転動体７．２は、フィッティング上部２．１の表面から突出する停止面として、特にストップローラ又はストップピンとして形成されている。代わりに、末端止め具７は、形状要素として、特にＬ字形状として別個に形成され、フィッティング上部２．１に留められ、特に溶接されることができる。
【００３７】
図２及び３は、快適範囲内の中間快適位置又は通常位置であるシート位置Ｂにある背もたれ１．１を示す。この背もたれ又はシート位置Ｂでは、レールとフィッティング２は閉鎖されている。ソフトロック４と末端止め具７は切り離されている。転動体７．２は、イージーエントリー移動止め５の外側輪郭５．２に当接している。
【００３８】
図４は、快適範囲内の後方快適位置である後方シート位置Ａにある背もたれ１．１を示す。この背もたれ又はシート位置Ａでは、レールとフィッティング２は閉鎖されている。ソフトロック４と末端止め具７は切り離されている。末端止め具７は、フィッティング下部２．２の（床又座部側にある／床又は座部に固定された）止め具２．２．１に衝突し、従って背もたれ１．１の後方への調節を制限する。
【００３９】
図５は、快適範囲内の前方快適位置である前方シート位置Ｃにある背もたれ１．１を示す。この背もたれ又はシート位置Ｃでは、レールとフィッティング２は閉鎖されている。ソフトロック４と末端止め具７は、少なくとも一部の領域で切り離されており、詳細には末端止め具７から突出する転動体７．２がソフトロック４の制御輪郭４．２（切り替え輪郭とも称される）、特に外側輪郭から突出する突起に衝突するまで切り離されている。
【００４０】
図６及び７は、快適範囲からイージーエントリー位置Ｄ又は積載位置Ｅ又は積載床位置Ｌへの背もたれ１．１の自由な旋回運動のための前方シート位置Ｃから開始位置Ｃ１までのソフトロック４及び制御輪郭４．２に対する末端止め具７の位置及び移動を示す。例示的な実施形態において、制御輪郭４．２は、転動体７．２がそれに沿って導かれる、賦形された外側輪郭として設計されている。代わりに、転動体７．２は、ソフトロック４の内側輪郭にあるピンのように導かれることができる。
【００４１】
背もたれ１．１をイージーエントリー位置Ｄへと前方に、特に前方約３５°に配置するために、プレストレスをかけたソフトロック４の復帰ばね４．１（ソフトロックばねとも称される）のばね力に打ち勝たなければならない。この目的のために、解除レバー３が作動され、背もたれ１．１は前方シート位置Ｃから前方に快適範囲の外へフィッティング２が開放されている開始位置Ｃ１の方向に旋回させられる。車両シート１を更に前方へ移動させることができるように、レール（図示せず）は同時にボーデンケーブル（図示せず）によってロック解除される。
【００４２】
背もたれ１．１を最前方快適位置又はシート位置Ｃからイージーエントリー位置Ｄへ移動又は旋回させる場合のみ、ソフトロック４のソフトロック機能は、図８に示されるように、連結によって、特に末端止め具７とソフトロック４が相互に作用することによって作動される。
【００４３】
イージーエントリー移動止め５に及び／又はソフトロック４に連結されたばね要素５．１によって、イージーエントリー移動止め５は、図８から１０に示されるように、矢印Ｐ１に沿って上方に回転させられ、前方への止め具として働く（＝自動ロック作用）。このために、イージーエントリー移動止め５はロック移動止め５．３を含む。イージーエントリー位置Ｄに到達する。
【００４４】
背もたれ１．１を旋回させて再びシート位置Ａ〜Ｃに、従って快適範囲に戻すために、制御輪郭４．２とそれによって得られるソフトロック力、特に末端止め具７とソフトロック４の連結に起因する力は、後方への旋回中に乗り越えられる。このために解除レバー３の作動は全く必要ない（図１０）。
【００４５】
可能な実施形態において、ソフトロック力はレール調節力よりも大きい。それにより、背もたれ１．１が前方シート位置Ｃに配置され又は到達する前に、車両シート１が最初にレールに沿って移動して後方／最後方位置に戻ることが保証される。このことは、車両シート１のレール内での適切な移動又は前後方向位置が保証される（ロックされる）ため、ユーザーを保護するのに役立つ。
【００４６】
積載位置Ｅ又は積載床位置Ｌ（折り畳み位置とも称される）に到達するために、解除レバー３を再び作動しなければならない。結果として、イージーエントリー移動止め５は下降させられ、従って背もたれ１．１は、図１１に示されるように、更に前方に折り畳むことができる。フィッティング下部２．２、特に突起が、その後、再び止め具として機能する。
【００４７】
代わりに、フィッティング２にラッチ機能を用いることができ、その結果、より大きな力が可能である。
【００４８】
積載位置Ｅ又は積載床面位置Ｌ（フラップ位置）を離れるのには、解除レバー３を作動させてもさせなくても（ラッチ機能があってもなくても）よい。フィッティング２におけるラッチ機能の代替案として、図１２に示されるように、積載床位置Ｌにおける保持機能（イージーエントリー位置と同じ原理）を達成するためにソフトロック４を変更、特に延長することができる。ソフトロック４は、延長部の領域における外側輪郭にロックカム４．３を有し、その結果、末端止め具７とソフトロック４は自動ロック式に相互作用する。ソフトロック４の外側輪郭へのロックカム４．３の成形の代替案として、ロックカム４．３はソフトロック４の内部輪郭に形成することもできる。
【００４９】
要するに、後部に位置するシート列への乗り込みがイージーエントリー位置Ｄにおいて容易になる。このために、背もたれ１．１は、シート位置Ａ〜Ｃから前方位置、イージーエントリー位置Ｄ（例えば前方約３５°）へ旋回させられ、同時に前後方向調節レールが開放され、その結果、車両シート１は、最大入り口領域を可能にするように前方へ移動させることができる。
【００５０】
「折り畳み位置」において、自動車の積載量は最大化される。このために、背もたれ１．１は、平坦な積載領域を生じるために積載床位置Ｌへと前方に折り畳まれ又は旋回させられる。
【００５１】
自由な旋回位置又は運動（自由な揺動）は、特に、解除レバー３を作動することなくフィッティング２が開放され且つ背もたれ１．１が旋回することができる背もたれ１．１の状態を意味すると理解される。
【符号の説明】
【００５２】
１  車両シート
１．１  背もたれ
１．２  シートクッション
２  フィッティング
２．１  フィッティング上部
２．２  フィッティング下部
２．２．１  止め具
３  解除レバー
３．１  連結点
３．２  復帰ばね
４  ソフトロック
４．１  復帰ばね
４．２  制御輪郭
４．３  ロックカム
５  イージーエントリー移動止め
５．１  ばね要素
５．２  外側輪郭
５．３  ロック移動止め
７  末端止め具
７．１  容器
７．２  転動体
ＥＥ  イージーエントリーシステム
Ａ〜Ｃ  シート位置
Ｃ１  開始位置
Ｄ  イージーエントリー位置
Ｅ  積載位置
Ｌ  積載床位置
ＬＲ  前後方向
Ｐ１  矢印
Ｖ  前方旋回機構
【図１】
2016539046.tif 000003
【図２】
2016539046.tif 000004
【図３】
2016539046.tif 000005
【図４】
2016539046.tif 000006
【図５】
2016539046.tif 000007
【図６】
2016539046.tif 000008
【図７】
2016539046.tif 000009
【図８】
2016539046.tif 000010
【図９】
2016539046.tif 000011
【図１０】
2016539046.tif 000012
【図１１】
2016539046.tif 000013
【図１２】
2016539046.tif 000014
【国際調査報告】
2016539046.tif 000015
2016539046.tif 000016
2016539046.tif 000017
2016539046.tif 000018